(57)【要約】【課題】コンテンツ作成者はコンテンツのダウンロード途中の再生を禁止できる。【解決手段】コンテンツ配信側はコンテンツダウンロード途中の再生を禁止するための情報を作成するダウンロード途中再生禁止情報作成部とコンテンツとコンテンツのダウンロード途中の再生を禁止するための情報を記憶する記憶部から構成される。またコンテンツ取得側はコンテンツ配信側からコンテンツ及び、ダウンロード途中再生禁止情報を取得する取得部と、コンテンツのダウンロード状態を判定するダウンロード状態判定部と、ダウンロード状態情報とダウンロード途中再生禁止情報をもとに、ダウンロード途中再生が可能かどうかを判定するダウンロード途中再生可否判定部から構成されるシステムにおいて、コンテンツのダウンロード途中の再生を禁止できる。【選択図】図１５
2005197853.tif 000002
【特許請求の範囲】
【請求項１】
コンテンツ受信端末にコンテンツを配信するコンテンツ配信サーバであって、
一つ以上のコンテンツを格納するコンテンツ格納手段、
前記コンテンツ受信端末にコンテンツを配信する通信手段、
配信途中のコンテンツの再生処理を禁止する情報を作成する手段、
を有し、
コンテンツを配信中のコンテンツ受信端末に対し、配信したコンテンツの再生処理を禁止する情報を送付することを特徴とするコンテンツ配信サーバ。
【請求項２】
コンテンツ配信サーバからコンテンツを取得するコンテンツ受信端末であって、
配信されたコンテンツを受信する通信手段、
配信されたコンテンツを再生する再生手段、
配信途中のコンテンツの再生処理を禁止する情報を受信した場合、前記コンテンツが配信途中か否かの状態を判断し、前記コンテンツの途中再生の可否を判断する配信途中再生可否判定手段を有し、
途中再生が否と判断した場合、再生手段に途中再生を中止させることを特徴とするコンテンツ受信端末。
【請求項３】
請求項１記載のコンテンツ配信サーバと請求項２のコンテンツ受信端末からなるコンテンツ配信システム。
【請求項４】
コンテンツ受信端末に対しコンテンツを配信するコンテンツ配信サーバであって、
コンテンツを格納するコンテンツ格納手段、
前記コンテンツ受信端末にコンテンツを配信する通信手段、
配信途中のコンテンツの再生処理を禁止する情報を作成する手段、
を有し、
コンテンツを配信中の前記コンテンツ受信端末に対し、配信したコンテンツの再生処理を禁止する条件を記述した情報を送付することを特徴とするコンテンツ配信サーバ。
【請求項５】
前記コンテンツの再生処理を禁止する条件が、前記コンテンツ配信サーバから前記コンテンツ受信端末に伝送されるコンテンツの伝送速度、または／かつコンテンツ受信端末の能力であることを特徴とする請求項４記載のコンテンツ配信サーバ。
【請求項６】
前記コンテンツの再生処理を禁止する条件をコンテンツ再生前に定められたコンテンツ再生処理時におけるビットレート値に応じて変化させることを特徴とする請求項４記載のコンテンツ配信サーバ。
【請求項７】
前記コンテンツの再生を禁止する条件は、コンテンツ再生前に定められたコンテンツ再生処理時におけるビットレート値に比例させることを特徴とする請求項４記載のコンテンツ配信サーバ。
【請求項８】
コンテンツ配信サーバからコンテンツを取得するコンテンツ受信端末であって、
配信されたコンテンツを受信する通信手段、
配信されたコンテンツを再生する再生手段、
コンテンツが配信される伝送路の伝送帯域の情報を入手する手段、
前記コンテンツ配信サーバが送信する配信途中のコンテンツの再生処理を禁止する条件情報を受信した場合、前記条件情報、伝送帯域の情報および前記コンテンツが配信途中か否かの状態に基づいて前記コンテンツの途中再生の可否を判断する配信途中再生可否判定手段を有し、
途中再生が否と判断した場合、再生手段に途中再生を中止させることを特徴とするコンテンツ受信端末。
【請求項９】
請求項４から請求項７のいずれか１項に記載のコンテンツ配信サーバと請求項８記載のコンテンツ受信端末からなるコンテンツ配信システム。
【請求項１０】
前記配信したコンテンツの再生処理を禁止する情報は、配信途中のコンテンツの特定の部分に対し再生処理を禁止する情報であることを特徴とする請求項１記載のコンテンツ配信サーバ。
【請求項１１】
コンテンツ配信サーバからコンテンツを取得するコンテンツ受信端末であって、
配信されたコンテンツを受信する通信手段、
配信されたコンテンツを再生する再生手段、
コンテンツが配信される伝送路の伝送帯域の情報を入手する手段、
前記コンテンツ配信サーバが送信する配信途中のコンテンツの一部の再生処理を禁止する条件情報を受信した場合、前記条件情報、伝送帯域の情報および前記コンテンツが配信途中か否かの状態に基づいて前記コンテンツの一部の途中再生の可否を判断する配信途中再生可否判定手段を有し、
配信途中再生が否と判断した場合、再生手段に配信途中再生を中止させることを特徴とするコンテンツ受信端末。
【請求項１２】
請求項１０記載のコンテンツ配信サーバと請求項１１記載のコンテンツ受信端末からなるコンテンツ配信システム。
【請求項１３】
請求項２、請求項８、請求項１１のいずれか１項に記載のコンテンツ受信端末であって、配信途中の再生を禁止させる場合に、ダウンロード途中の再生が禁止である旨を表示する手段を有するコンテンツ受信端末。
【請求項１４】
請求項１、請求項４、請求項５、請求項６、請求項７、または請求項１０のいずれか１項に記載のコンテンツ配信サーバであって、配信途中の再生が禁止である旨を通知するためのコンテンツを作成する手段を有するコンテンツ配信サーバ。
【請求項１５】
コンテンツ受信端末にコンテンツを配信するコンテンツ配信方法であって、
一つ以上のコンテンツを格納する工程、
端末にコンテンツを配信する工程、
配信途中のコンテンツの再生処理を禁止する情報を作成する工程、
を有し、
配信中のコンテンツ受信端末に対し、配信したコンテンツの再生処理を禁止する情報を送付することを特徴とするコンテンツ配信方法。
【請求項１６】
コンテンツ配信サーバからコンテンツを取得するコンテンツ受信方法であって、
配信されたコンテンツを受信する工程、
配信されたコンテンツを再生する工程、
配信途中のコンテンツの再生処理を禁止する情報を受信した場合、前記コンテンツが配  信途中か否かの状態を判断し、前記コンテンツの途中再生の可否を判断する配信途中再生可否判定する工程と、
途中再生が否と判断した場合、再生手段に途中再生を中止させることを特徴とするコンテンツ受信方法。
【請求項１７】
コンテンツ受信端末に対しコンテンツを配信する方法であって、
コンテンツを格納する工程、
コンテンツ受信端末にコンテンツを配信する工程、
配信途中のコンテンツの再生処理を禁止する情報を作成する工程、
を有し、
コンテンツ配信中の端末に対し、配信したコンテンツの再生処理を禁止する条件を記述した情報を送付することを特徴とするコンテンツ配信方法。
【請求項１８】
前記配信したコンテンツの再生処理を禁止する情報は、配信途中のコンテンツの特定の部分に対し再生処理を禁止する情報であることを特徴とする請求項１５記載のコンテンツ配信方法。
【請求項１９】
コンテンツ配信サーバからコンテンツを受信するコンテンツ受信方法であって、
配信されたコンテンツを受信する工程、
配信されたコンテンツを再生する工程、
コンテンツが配信される伝送路の伝送帯域の情報を入手する工程、
配信される配信途中のコンテンツの一部において再生処理を禁止する条件情報を受信した場合、前記条件情報、伝送帯域の情報および前記コンテンツが配信途中か否かの状態に基づいて前記コンテンツの一部の途中再生の可否を判断する配信途中再生可否判定工程を有し、
配信途中再生が否と判断した場合、再生工程に配信途中再生を中止させることを特徴とするコンテンツ受信方法。
【請求項２０】
コンテンツ受信端末にコンテンツを配信するプログラムであって
一つ以上のコンテンツを格納するステップ、
コンテンツ受信端末にコンテンツを配信するステップ、
配信途中のコンテンツの再生処理を禁止する情報を作成するステップ、
を有し、
コンテンツ配信中の端末に対し、配信したコンテンツの再生処理を禁止する情報を送付することを特徴とするコンテンツ配信プログラム。
【請求項２１】
コンテンツ配信サーバからコンテンツを受信するプログラムであって、
配信されたコンテンツを受信するステップ、
配信されたコンテンツを再生するステップ、
配信途中のコンテンツの再生処理を禁止する情報を受信した場合、前記コンテンツが配  信途中か否かの状態を判断し、前記コンテンツの途中再生の可否を判断する配信途中再生可否判定するステップと、
途中再生が否と判断した場合、再生するステップに途中再生を中止させることを特徴とするコンテンツ受信プログラム。
【請求項２２】
コンテンツ受信端末にコンテンツを配信するプログラムであって、
コンテンツを格納するステップ、
コンテンツ受信端末にコンテンツを配信するステップ、
配信途中のコンテンツの再生処理を禁止する情報を作成するステップ、
を有し、
コンテンツ配信中のコンテンツ受信端末に対し、配信したコンテンツの再生処理を禁止する条件を記述した情報を送付することを特徴とするコンテンツ配信プログラム。
【請求項２３】
コンテンツ配信サーバからコンテンツを受信するプログラムであって、
配信されたコンテンツを受信するステップ、
配信されたコンテンツを再生するステップ、
コンテンツが配信される伝送路の伝送帯域の情報を入手するステップ、
配信途中のコンテンツの再生処理を禁止する条件情報を受信した場合、前記条件情報、伝送帯域の情報および前記コンテンツが配信途中か否かの状態に基づいて前記コンテンツの途中再生の可否を判断する配信途中再生可否判定ステップを有し、
途中再生が否と判断した場合、再生するステップに途中再生を中止させることを特徴とするコンテンツ受信プログラム。
【請求項２４】
前記配信したコンテンツの再生処理を禁止する情報は、配信途中のコンテンツの特定の部分に対し再生処理を禁止する情報であることを特徴とする請求項２２記載のコンテンツ配信プログラム。
【請求項２５】
コンテンツ配信サーバからコンテンツを取得するプログラムであって、
配信されたコンテンツを受信するステップ、
配信されたコンテンツを再生するステップ、
コンテンツが配信される伝送路の伝送帯域の情報を入手するステップ、
前記のコンテンツ配信サーバにより配信される配信途中のコンテンツの一部において再生処理を禁止する条件情報を受信した場合、前記条件情報、伝送帯域の情報および前記コンテンツが配信途中か否かの状態に基づいて前記コンテンツの一部の途中再生の可否を判断する配信途中再生可否判定ステップを有し、
配信途中再生が否と判断した場合、再生するステップに配信途中再生を中止させることを特徴とするコンテンツ受信プログラム。
【請求項２６】
請求項１、請求項４、請求項５、請求項６、請求項７、または請求項１０のいずれか１項に記載のコンテンツ配信サーバであって、ＴｒａｎｓｐｏｒｔＳｔｒｅａｍを配信し、配信途中のＴｒａｎｓｐｏｒｔＳｔｒｅａｍの再生処理を禁止する情報をＴｒａｎｓｐｏｒＳｔｒｅａｍのヘッダーに付加する手段を有するコンテンツ配信サーバ。
【請求項２７】
請求項１５または請求項１７に記載のコンテンツ配信方法であって、配信途中のＴｒａｎｓＰｏｒｔＳｔｒｅａｍの再生処理を禁止する情報をＴｒａｎｓｐｏｒＳｔｒｅａｍのヘッダーに付加する工程を有するコンテンツ配信方法。
【請求項２８】
請求項２０、請求項２２、または請求項２４のいずれか１項に記載のコンテンツ配信プログラムであって、配信途中のＴｒａｎｓＰｏｒｔＳｔｒｅａｍの再生処理を禁止する情報をＴｒａｎｓｐｏｒＳｔｒｅａｍのヘッダーに付加するステップを有するコンテンツ配信プログラム。
【請求項２９】
請求項１、請求項４、請求項５、請求項６、請求項７、または請求項１０のいずれか１項に記載のコンテンツ配信サーバであって、ＴｒａｎｓｐｏｒｔＳｔｒｅａｍを配信し、配信途中のＴｒａｎｓｐｏｒｔＳｔｒｅａｍの再生処理を禁止する情報をＴｒａｎｓｐｏｒＳｔｒｅａｍのＰＭＴに付加する手段を有するコンテンツ配信サーバ。
【請求項３０】
請求項１５または請求項１７に記載のコンテンツ配信方法であって、配信途中のＴｒａｎｓＰｏｒｔＳｔｒｅａｍの再生処理を禁止する情報をＴｒａｎｓｐｏｒＳｔｒｅａｍのＰＭＴに付加する工程を有するコンテンツ配信方法。
【請求項３１】
請求項２０、請求項２２、または請求項２４のいずれかに記載のコンテンツを配信プログラムであって、配信途中のＴｒａｎｓＰｏｒｔＳｔｒｅａｍの再生処理を禁止する情報をＴｒａｎｓｐｏｒＳｔｒｅａｍのＰＭＴに付加するステップを有するコンテンツ配信プログラム。
【請求項３２】
請求項２０、請求項２２、請求項２４、請求項２８または請求項３１のいずれか１項に記載のコンテンツ配信プログラムを記憶した記録媒体。
【請求項３３】
請求項２１、請求項２３、請求項２５のいずれか１項に記載のコンテンツ受信プログラムを記載した記録媒体。
【発明の詳細な説明】
【技術分野】
【０００１】
本発明はクライアントサーバ間におけるコンテンツのダウンロート処理において、ダウンロード処理中のコンテンツの再生を禁止できるようにするものである。
【背景技術】
【０００２】
昨今の急速なブロードバンド化により、クライアントは通信サーバから大容量のストリームコンテンツをコンピュータにダウンロードして視聴することが容易になった。そしてストリームコンテンツを通信サーバからクライアントのコンピュータにダウンロードしてユーザが視聴する方法として、ダウンロードの完了を待たずに、ダウンロードされたものから順次リアルタイムに視聴する方法がある。
【０００３】
しかし、ネットワークの混雑度が大きい、あるいは、伝送帯域のボトルネック現象が発生した場合にサーバが伝送したパケットを受信するクライアントの受信データ量は漸次減少し、その結果、サーバが伝送したパケットが受信されずにパケットの損失が生じるという問題点が発生する。
【０００４】
パケット損失のみを基準として１秒間に取得するデータ量（ｂｐｓ）を変更させる従来の方法及びその装置においては、ネットワークの状態変化に迅速に対処するのが困難であるという問題があり、このためパケットを正常に伝送するためには比較的長時間を要するという問題点があった（例えば、特許文献１参照）。
【０００５】
上記問題点を解決するために特許文献２では実行中にネットワークの混雑度が増大しても自動的にネットワークの状態を把握してパケットの損失を最小限に食い止めることができるので、高品質のサービスを提供することを可能にした。
【特許文献１】米国特許第５７６８５２７号明細書
【特許文献２】特開２００３−１８８９０９号公報
【発明の開示】
【発明が解決しようとする課題】
【０００６】
しかし従来の方法は、インターネットのような、伝送帯域の補償がない通信路において、通信サーバからコンテンツのダウンロードをしながら順次コンテンツの再生をする場合、再生処理量がダウンロード処理量を上回り、再生すべきタイミングのデータがコンピュータのバッファにない状態になり、コンテンツの画像や音声が中断してしまい、コンテンツ配信事業者の期待しない品質でユーザに提示されるという課題を有している。
【０００７】
本発明は、前記従来の課題を解決するもので、コンテンツの品質を損なった状態で再生されないようにコンピュータの再生処理を制御し、コンテンツ配信事業者の期待する品質のコンテンツをユーザが視聴できるシステムを提供することを目的とする。
【課題を解決するための手段】
【０００８】
上記課題を解決するため、本発明のコンテンツ配信サーバは、コンテンツ受信端末にコンテンツを配信するコンテンツ配信サーバであって、一つ以上のコンテンツを格納するコンテンツ格納手段、前記コンテンツ受信端末にコンテンツを配信する通信手段、配信途中のコンテンツの再生処理を禁止する情報を作成する手段、を有し、コンテンツを配信中のコンテンツ受信端末に対し、配信したコンテンツの再生処理を禁止する情報を送付する構成を有する。
【０００９】
上記構成により、コンテンツ配信サーバは、ダウンロード途中の再生処理を制御するための情報に関するコンテンツをコンテンツ受信端末にダウンロードをし、コンテンツ受信端末がダウンロード途中のコンテンツを再生しようとした場合、再生処理を禁止する。
【００１０】
また、本発明のコンテンツ受信端末は、コンテンツ配信サーバからコンテンツを取得するコンテンツ受信端末であって、配信されたコンテンツを受信する通信手段、配信されたコンテンツを再生する再生手段、配信途中のコンテンツの再生処理を禁止する情報を受信した場合、前記コンテンツが配信途中か否かの状態を判断し、前記コンテンツの途中再生の可否を判断する配信途中再生可否判定手段を有し、途中再生が否と判断した場合、再生手段に途中再生を中止させる構成を有する。
【００１１】
上記構成により、ダウンロード途中の再生処理を制御するための情報に関するコンテンツをダウンロードしたコンテンツ受信端末は、コンテンツのダウンロード途中にコンテンツを再生する場合、その再生処理を禁止する。
【発明の効果】
【００１２】
本発明のコンテンツ配信システムにより、コンテンツ作成者はコンテンツのダウンロード中にコンテンツの品質が損なわれた状態で再生されないようにコンテンツを作成することができ、またコンテンツの品質が損なわれる可能性がある場合にコンテンツの再生処理を禁止し、期待する品質のコンテンツをユーザに視聴させるシステムを提供できる。
【００１３】
またユーザはコンテンツの品質が損なわれないようにコンテンツが作成されているというコンテンツ作成者の意図を確認することができる。
【００１４】
また、コンテンツ作成者はコンテンツの特定の部分に対し、品質が損なわれた状態でコンテンツの再生が行われないように、コンテンツを作成することができ、また、そのコンテンツの一部分に限りダウンロード途中のコンピュータの再生処理を禁止し、期待する品質のコンテンツをユーザに視聴させるシステムを提供できる。
【発明を実施するための最良の形態】
【００１５】
以下、本発明の実施の形態について、図面を参照しながら説明する。
【００１６】
（実施の形態１）
［コンテンツ配信システム概略］
はじめに、本発明におけるコンテンツ配信システムの概要について図１を用いて説明する。本実施の形態ではインターネットを介したクライアントサーバシステムを用いて説明する。図１はコンテンツ配信の流れと、その構成要素のハードウェア構成図である。クライアントのパーソナルコンピュータ１０１をコンテンツ配信事業者のＷｅｂサーバ１０３に接続し、コンテンツ視聴要求をＷｅｂサーバ１０３に送付する。クライアントは、視聴したいコンテンツを選択すると、選択されたコンテンツが配信される。
【００１７】
ここでは、Ｗｅｂサーバ１０３が保持しているコンテンツは、あらかじめコンテンツ配信事業者１０４が所有するコンテンツ作成用コンピュータ１０２により作成されたものとして説明するが、他で作成されたコンテンツを持ってきてもよい。
【００１８】
また、コンテンツ作成用コンピュータ１０２は、後述するようにダウンロード途中の再生を禁止するようにコンテンツを作成または編集できる。
【００１９】
また、コンテンツ取得側はパーソナルコンピュータ１０１だけでなく、携帯端末や、テレビ受信機なども想定される。また接続されるネットワークは、インターネットに限らず、コンテンツを流通させることが可能なネットワークや放送波などでもよい。
【００２０】
次に本実施の形態の概略を図１５を用いて説明する。通信サーバ（コンテンツ配信側）１５００は、コンテンツダウンロード途中の再生を禁止するための情報を作成するダウンロード途中再生禁止情報作成手段１５０１とコンテンツとコンテンツのダウンロード途中の再生を禁止するための情報を記憶する記憶手段１５０２から構成され、また受信機（コンテンツ取得側）１５０６は、通信サーバ１５００からコンテンツ及び、ダウンロード途中再生禁止情報を取得する取得手段１５０３と、コンテンツのダウンロード状態を判定するダウンロード状態判定手段１５０４と、ダウンロード状態情報とダウンロード途中再生禁止情報をもとに、ダウンロード途中再生が可能かどうかを判定するダウンロード途中再生可否判定手段１５０５を有する。
【００２１】
上記した構成により、ダウンロード途中のコンテンツ受信機１５０６が再生しようとする場合において、ダウンロード途中のコンテンツの再生処理を制御するための情報に関するコンテンツをダウンロード途中のコンテンツと共に通信サーバ１５００から受信機１５０６にダウンロードすることにより、受信機１５０６にてコンテンツの再生処理を禁止することができる。
【００２２】
以下、本実施の形態について詳細に説明する。
【００２３】
［コンテンツ配信側のシステム構成図］
図２は、本実施の形態における図１のコンテンツ配信側のシステム機能構成図である。
【００２４】
コンテンツ配信側はコンテンツ作成用コンピュータ２０８とＷｅｂサーバ２０７とからなる。各々はローカルエリア内でネットワークに接続されており、Ｗｅｂサーバ２０７はインターネットへのネットワークＩ／Ｆ（インターフェース）を有しているものとする。
【００２５】
コンテンツ作成用コンピュータ２０８はコンテンツ作成部２０１とダウンロード途中再生禁止情報作成部２０２と、コンテンツ一覧作成部２０３と、通信ＩＦ部２０５から構成される。
【００２６】
コンテンツ作成部２０１はコンテンツ作成用コンピュータのキーボードからの信号を用いてコンテンツファイルを作成する。
【００２７】
ダウンロード途中再生禁止情報作成部２０２は、コンテンツ作成用コンピュータのキーボードからの信号により、Ｗｅｂサーバのコンテンツ記憶部に記憶されているコンテンツに対して、ダウンロード途中の再生を禁止するための情報が記述されたコンテンツメタファイルを作成する。
【００２８】
Ｗｅｂサーバ２０７はコンテンツ記憶部２０４と通信ＩＦ部２０６から構成される。
【００２９】
コンテンツ記憶部２０４はコンテンツ作成用コンピュータ２０８のコンテンツ作成部２０１により作成されたコンテンツファイルとダウンロード途中再生禁止情報作成部２０２により作成されたコンテンツメタファイルとコンテンツ一覧作成部２０３により作成されたコンテンツ一覧ファイルをローカルネットワークを介して受け取り、Ｗｅｂサーバ２０７のファイルシステムを用いてＷｅｂサーバ２０７の記憶領域（ハードディスク）に記憶する。
【００３０】
なお、コンテンツ記憶部２０４にはコンテンツ作成用コンピュータ２０８のコンテンツ作成部２０１とは別のコンピュータに作成されたコンテンツファイルを記憶することも可能である。
【００３１】
［データの構成］
コンテンツ作成部２０１で作成されるコンテンツファイルはデジタル放送などで伝送されるＴＳ（ＩＳＯ／ＩＥＣ１３８１８−１  ＭＰＥＧ２−Ｓｙｓｔｅｍ  Ｔｒａｎｓｐｏｒｔ  Ｓｔｒｅａｍ）のフォーマットで作成される。ＴＳのデータには、映像・音声放送サービスに連動したデータと、それ以外の放送管理・付属データがある。
【００３２】
図３は、書き込まれたＴＳの構成の概略である。ＴＳは図３のようにデータが階層化されている。映像・音声用のＰＥＳ  （Ｐａｃｋｅｔｉｚｅｄ  Ｅｌｅｍｅｎｔａｒｙ  Ｓｔｒｅａｍ）  と放送管理・付属データ用のセクションの２つに分類されている。ここで、ＰＥＳとは、映像や音声をＭＰＥＧ２符号化したストリーム（ＥＳ：Ｅｌｅｍｅｎｔａｒｙ  Ｓｔｒｅａｍ）をパケット化したものである、時間的同期が必要な映像と音声に加え、字幕や速報スーパーが伝送される。セクションとしては、番組情報やマルチメディアデータなどの非同期データが符号化される。
【００３３】
ダウンロード途中再生禁止情報作成部２０２は、コンテンツメタファイルを作成する。コンテンツメタファイルとは、コンテンツ作成部２０１で作成されたＴＳのコンテンツファイルに対して付加情報（例えば、コンテンツの種類や、コンテンツの名前）を記述するファイルである。ダウンロード途中の再生を禁止する情報はテキスト形式でこのコンテンツメタファイルに記述する。
【００３４】
図４はコンテンツメタファイルの記述例である。ダウンロード途中再生禁止は＜ｄｏｗｎｌｏａｄ  ｐｌａｙ  ＝  “ｄｉａａｂｌｅ”＞と表現している。逆に、ダウンロード途中再生許可は＜ｄｏｗｎｌｏａｄ  ｐｌａｙ  ＝  “ｅｎａｂｌｅ”＞と表現する。
【００３５】
また、コンテンツファイルを、コンテンツメタファイルから参照ができるようにする。コンテンツメタファイルにおいて＜ａ  ｈｒｅｆ＝“ｈｔｔｐ：／／（コンテンツファイルのアドレス）”＞）と記述すれば、コンテンツメタファイルからコンテンツファイルの参照が可能であり、参照されたコンテンツファイルがダウンロード途中の再生可能かどうかを判断することができる。
【００３６】
コンテンツ一覧ファイルは、配信するコンテンツをユーザに選択させるためのコンテンツの取得アドレス一覧である。図５はＨＴＭＬ言語で書かれたコンテンツ一覧ファイルの内容を示した例である。
【００３７】
また、図６は、図５のコンテンツ一覧ファイルをＨＴＭＬブラウザを用いてモニタに表示した図である。
【００３８】
［コンテンツ配信側の処理の流れ］
上記コンテンツ配信側のシステムにおけるコンテンツファイルＡ作成の実行時の処理を図７を用いて説明する。
【００３９】
＜ステップ７０１＞コンテンツ作成者はコンテンツ作成用コンピュータのキーボードなどの入力装置を用いて、コンテンツの作成をする。
【００４０】
キーボードなどの入力信号からコンテンツ作成部２０１は、コンテンツファイルＡを作成する。
【００４１】
＜ステップ７０２＞コンテンツ記憶部２０４は、前記作成したコンテンツファイルＡを記憶する。
【００４２】
＜ステップ７０３＞ダウンロード途中再生禁止情報作成部２０２は、コンテンツ記憶部２０４に記憶されたコンテンツファイルＡに対して、図４に記述したコンテンツメタファイルＡを作成する。
【００４３】
＜ステップ７０４＞コンテンツ記憶部２０４は、前記作成したコンテンツメタファイルＡを記憶する。
【００４４】
＜ステップ７０５＞コンテンツ一覧作成部２０３は、Ｗｅｂサーバの記憶領域にある、コンテンツファイルＡ、コンテンツファイルＢ、コンテンツファイルＣ、コンテンツファイルＤを基にコンテンツ一覧ファイルを作成し、コンテンツ記憶部２０４にコンテンツファイル一覧ファイルを記憶する。
【００４５】
ユーザはＷｅｂサーバにアクセスし、パーソナルコンピュータを用いてコンテンツメタファイルをダウンロードし、ブラウザでコンテンツファイル一覧を閲覧する。パーソナルコンピュータはコンテンツメタファイルから参照されているコンテンツをダウンロードするが、ダウンロード途中のコンテンツ再生を禁止させる記述がなされているため、コンテンツ取得側であるパーソナルコンピュータはコンテンツファイルの再生を禁止するように動作する。
【００４６】
［コンテンツ取得側のシステム構成図］
図８は、本実施の形態における図１に記載されるコンテンツ取得側のシステム構成図である。コンテンツ取得側はパーソナルコンピュータによって構成される。
【００４７】
取得部８０１はＷｅｂサーバからコンテンツファイル、コンテンツメタファイル及び、コンテンツ一覧ファイルを取得する。取得部８０１はネットワークインターフェース（Ｉ／Ｆ）を持ち、ＨＴＴＰのプロトコルを用いてインターネット等の外部のネットワークと通信が可能である。また取得部８０１は、ダウンロード状態判定部８０４がダウンロード途中かどうかを判定するために、コンテンツの取得情報（取得済みコンテンツのデータサイズと、コンテンツのサイズ（Ｃｏｎｔｅｎｔ−Ｌｅｎｇｔｈ））を返すＡＰＩ（Ａｐｐｌｉｃａｔｉｏｎ  Ｐｒｏｇｕｒａｍ  Ｉｎｔｅｒｆａｃｅ）も備えている。コンテンツ記憶部８０２は、取得したコンテンツファイル及びコンテンツメタファイルをパーソナルコンピュータのファイルを管理するファイルシステムを用いて記憶領域（ハードディスク等）に記憶する。コンテンツ解析部８０３は、記憶したコンテンツファイルおよびコンテンツメタファイルを解析する。
【００４８】
コンテンツファイルを解析する場合、コンテンツ解析部８０３は、ダウンロードしたＴＳ形式のコンテンツファイルをＴＳデコーダに渡す。ＴＳデコーダは、ＴＳパケットを解析し、選別されたＴＳパケットからＰＥＳまたはセクションを取り出し、ＡＶデコーダ、ＤＲＡＭに分配する。なおＡＶデコーダは、ＭＰＥＧ規格の符号化方式により圧縮された映像、音声、その他データに伸長処理を行い、映像と音声の出力同期を行った上、アナログ信号に変換する。
【００４９】
また、コンテンツメタファイルを解析する場合、コンテンツ解析部８０３はダウンロードしたコンテンツメタファイルにおいて、ｄｏｗｎｌｏａｄタグ内の属性情報を抽出する。
【００５０】
ダウンロード状態判定部８０４はダウンロード途中再生可否判定部８０６の要求により、２つの種類（ダウンロード途中、ダウンロード完了）の状態のどちらかを返り値として返すものである。ダウンロード状態判定部８０４は取得部８０１の取得済みコンテンツのデータサイズと取得完了時のコンテンツサイズを返すＡＰＩから取得し、受信したバイト数がＣｏｎｔｅｎｔ−Ｌｅｎｇｔｈに記載されるバイト数に満たない間はダウンロード途中再生可否判定部８０６にダウンロード途中状態を返す。
【００５１】
また、ダウンロード状態判定部８０４はＣｏｎｔｅｎｔ−Ｌｅｎｇｔｈに記載されるバイト数分を取得したと判断したら、ダウンロード途中再生可否判定部８０６にダウンロード完了状態を返す。
【００５２】
再生指示部８０５はコンテンツの再生指示をする。再生指示部８０５はキーボードやマウスなどの入力装置から再生指示の信号を受け取るインターフェースを有し、パーソナルコンピュータの記憶領域に再生指示の信号を一時的に記憶する。
【００５３】
ダウンロード途中再生可否判定部８０６は、再生指示部８０５に記憶されている再生指示情報と、コンテンツ解析部にてコンテンツメタファイルの解析をして抽出したダウンロード途中再生禁止情報と、ダウンロード状態判定部からのダウンロード状態情報の３つの情報から、コンテンツを再生してよいかを判定する。
【００５４】
再生部８０８はダウンロード途中再生可否判定部からの指示を基に、ＡＶデコーダやＴＳデコーダで処理された映像、音声、文字情報などのコンテンツを再生する。
【００５５】
表示部８０７はＡＶデコーダやＴＳデコーダで処理された映像、音声、文字情報などのコンテンツの内容を、モニタに表示するためのインターフェースを有し、コンテンツの内容をモニタに表示する。
【００５６】
［コンテンツ取得側の処理の流れ］
パーソナルコンピュータのコンテンツダウンロードの再生処理についての動作を図９、及び図１０を用いて説明する。図９では取得側の動作フローを示し、図１０ではダウンロード状態判定部動作フローを示す。
【００５７】
＜ステップ９０１＞
ユーザは、Ｗｅｂサーバ１０３に接続されたパーソナルコンピュータ１０１を用いて、Ｗｅｂサーバ１０３が管理するコンテンツ一覧のＵＲＬアドレスにアクセスし、図６に示すＷｅｂサーバ１０３が管理するコンテンツ一覧を参照する。表示されたコンテンツ一覧の中からパーソナルコンピュータ１０１の入力装置を用いて所望のコンテンツＡを選択する。コンテンツＡを選択すると、Ｗｅｂサーバ１０３よりコンテンツメタファイルＡがパーソナルコンピュータにダウンロードされる。
【００５８】
取得部８０１は、サーバからコンテンツメタファイルＡを取得する。コンテンツ記憶部８０２は、取得したコンテンツメタファイルＡを記憶領域（ハードディスク）１０９に記憶する。
【００５９】
＜ステップ９０２＞
コンテンツ記憶部８０２はステップ９０１で取得したコンテンツメタファイルＡをパーソナルコンピュータ１０１の記憶領域（ハードディスク）１１６に記憶する。
【００６０】
記憶したコンテンツをコンテンツ解析部８０３に渡す。
【００６１】
＜ステップ９０３＞
コンテンツ解析部８０３は、コンテンツ記憶部８０２からコンテンツメタファイルＡを受け取り、ｄｏｗｎｌｏａｄ  ｐｌａｙの属性情報を抽出する。ｄｏｗｎｌｏａｄ  ｐｌａｙの属性情報をダウンロード途中再生可否判定部８０６に渡す。
【００６２】
＜ステップ９０４＞
ダウンロード途中再生可否判定部８０６はコンテンツメタファイルＡがコンテンツファイルＡへのリンクを示していることから、取得部８０１に対し、コンテンツファイルＡのダウンロードの開始要求をする。取得部８０１はコンテンツファイルＡの一部のデータを一定のサイズで受け取り、コンテンツ記憶部８０２に受け取ったデータを渡し、コンテンツ記憶部８０２は、コンテンツファイルＡの一部のデータをクライアントコンピュータの記憶領域に記憶する。
【００６３】
＜ステップ９０５＞
再生指示部８０５はコンテンツファイルＡに対して、パーソナルコンピュータのキーボードなどの入力装置から再生指示部を介して再生指示があったかどうかを判定する。再生指示情報があれば、ステップ９０６へ処理が移る。再生指示情報がなければ、ステップ９０４へ処理が移る（再生指示情報があるまで、ステップ９０４の処理を続ける）。
【００６４】
＜ステップ９０６＞
ダウンロード途中再生可否判定部８０６はコンテンツ解析部８０３にて抽出されたｄｏｗｎｌｏａｄ  ｐｌａｙの属性情報をチェックする。コンテンツメタファイルＡの内容におけるｄｏｗｎｌｏａｄ  ｐｌａｙの属性情報がｄｉｓａｂｌｅを示しているのであればステップ９０７の処理に移る。ｄｏｗｎｌｏａｄ  ｐｌａｙの属性情報がｄｉｓａｂｌｅを示しているのであればステップ９０９の処理に移る。
【００６５】
＜ステップ９０７＞
ステップ９０７の処理の詳細を図１０を用いて説明する。
【００６６】
＜ステップ９０７−１＞
ダウンロード状態判定部８０４は、記憶領域に記憶されている注意文パネルをパーソナルコンピュータのモニタに表示する。
【００６７】
＜ステップ９０７−２＞
ダウンロード状態判定部８０４は取得部８０１のＡＰＩに対し、コンテンツファイルＡの取得状況を問い合わせる。
【００６８】
＜ステップ９０７−３＞
取得部８０１が取得済みのコンテンツファイルＡのバイト数がＣｏｎｔｅｎｔ−Ｌｅｎｇｔｈに記載されるバイト数に等しいかを判定する。
【００６９】
＜ステップ９０７−４＞
取得部８０１が取得済みのコンテンツファイルＡのバイト数がＣｏｎｔｅｎｔ−Ｌｅｎｇｔｈに記載されるバイト数より小さい場合はダウンロード状態をダウンロード途中とする。
【００７０】
＜ステップ９０７−５＞
取得部８０１が取得済みのコンテンツのバイト数がＣｏｎｔｅｎｔ−Ｌｅｎｇｔｈに記載されるバイト数と同じになったらダウンロード状態を完了とする。ダウンロード状態判定部８０４の情報がダウンロード完了であればステップ９０７−６へ処理が移る。ダウンロード状態判定部８０４の情報がダウンロード途中であればステップ９０７−２へ処理が移る。
【００７１】
＜ステップ９０７−６＞
ダウンロード状態判定部８０４は注意パネルをモニタから消去する。
【００７２】
＜ステップ９０８＞
再生部８０８はコンテンツファイルＡを再生し、コンテンツデータを表示部８０７に送る。表示部８０７はコンテンツファイルＡの内容をパーソナルコンピュータのモニタに表示する。
【００７３】
＜ステップ９０９＞
ダウンロード途中再生可否判定部８０６により、コンテンツメタファイルＡのｄｏｗｎ  ｌｏａｄタグの属性情報がｅｎａｂｌｅを示しているため、ダウンロード途中の再生が可能と判断される。ダウンロード途中再生可否判定部８０６はコンテンツファイルＡを再生し、コンテンツファイルＡの内容をパーソナルコンピュータのモニタに表示する。
【００７４】
＜ステップ９１０＞
再生部８０８はコンテンツが終了しているかどうかを判断する。コンテンツが終了している場合は、処理が終了する。コンテンツが終了していない場合は、ステップ９０４へ処理が移る。
【００７５】
以上、本実施の形態により、配信するコンテンツファイルＡにダウンロード途中再生禁止情報が記述されたコンテンツメタファイルＡをパーソナルコンピュータがダウンロードすることで、コンテンツ作成者の意図通りにコンテンツの品質が損なわれる可能性のある状態で再生をしようとしたパーソナルコンピュータに対し再生を禁止させることができる。
【００７６】
なお、本実施の形態以外に、ダウンロード途中再生禁止情報をコンテンツメタファイルに付加させる代わりに、配信側でコンテンツを作成する際にコンテンツファイル（ＴＳファイル）に追加してダウンロード途中の再生を禁止させることも可能である。例えば、ＴＳのヘッダーにダウンロード途中再生禁止情報を追加することも可能である。またＴＳのＰＭＴにダウンロード途中再生禁止情報を追加させることも可能である。
【００７７】
また、本実施の形態ではコンテンツファイルとしてＴＳファイルを適用したが、その他の動画ファイル、音楽ファイルにも適用できる。
【００７８】
本実施の形態の再生手段はコンテンツを受信した受信端末とは別の端末にあってもよい。
【００７９】
さらに、本実施の形態のような図１１の注意文以外にも、ダウンロードが完了してから再生したほうがよい旨を通知し、ダウンロード途中の再生をするかどうかの判断をユーザに委ねるようなダイアログをポップアップ表示することも可能である。
【００８０】
また音声や音情報を用いて、警告してもよい。
【００８１】
また、ＬＥＤ等の表示でもよい。
【００８２】
また、ダウンロードが完了するまでの概略時間を表示してもよい。
【００８３】
（実施の形態２）
本実施の形態では実施の形態１を基に、図２の配信側のコンテンツ作成用コンピュータのダウンロード途中再生禁止情報作成部２０２にクライアントサーバ間の伝送帯域の条件を指定できるような機能を設ける。この機能を用いると、コンテンツメタファイルは図１２のように記述される。
【００８４】
コンテンツ取得側では図８に示した各構成要素に加え、図１３に示すように伝送帯域状態取得部１３０１を設ける。伝送帯域状態取得部１３０１はクライアントサーバ間において、サーバからクライアントに対し１秒間に何ビットのデータをクライアントが取得したかを計算し、外部ＡＰＩとして、その値を返すものである。
【００８５】
取得側では、図１２のように記述されたコンテンツメタファイルを取得すると、ダウンロード途中再生可否判定部８０６にて、クライアントサーバ間の伝送帯域を伝送帯域状態取得部１３０１に対しｂｐｓ（ｂｉｔ  ｐｅｒ  ｓｅｃｏｎｄ）単位で数値を取得し、コンテンツメタファイルに記述されているｂａｎｄ要素のｗｉｄｔｈ属性を抽出した数値と比較する。比較した結果、コンテンツメタファイルに記述されているｂａｎｄ要素のｗｉｄｔｈ属性よりも、伝送帯域が小さい場合はダウンロード途中の再生処理を禁止する。
【００８６】
このような構成でコンテンツに伝送帯域の条件を指定した場合の取得側の処理について図１４を用いて説明する。
【００８７】
＜ステップ１４０１＞
ユーザはＷｅｂサーバ１０３のコンテンツ一覧のアドレスにアクセスし、図６のコンテンツ一覧を参照する。コンテンツ一覧の中からキーボードによりコンテンツＢを選択する。コンテンツＢを選択すると、コンテンツメタファイルＢをパーソナルコンピュータにダウンロードする。取得部８０１は、サーバからコンテンツメタファイルＢを取得する。取得したコンテンツメタファイルＢをコンテンツ記憶部８０２に渡す。
【００８８】
＜ステップ１４０２＞
コンテンツ記憶部８０２はステップ１４０１で取得したコンテンツメタファイルＢをパーソナルコンピュータの記憶領域に記憶する。
【００８９】
記憶したコンテンツメタファイルＢをコンテンツ解析部８０３に渡す。
【００９０】
＜ステップ１４０３＞
コンテンツ解析部８０３は、コンテンツ記憶部８０２からコンテンツメタファイルＢを受け取り、ｂａｎｄ  ｗｉｄｔｈの属性情報を抽出する。ｂａｎｄ  ｗｉｄｔｈの属性情報をダウンロード途中再生可否判定部８０６に渡す。
【００９１】
＜ステップ１４０４＞
ダウンロード途中再生可否判定部８０６はコンテンツメタファイルＢがコンテンツファイルＢへのリンクを示していることから、取得部８０１に対し、コンテンツファイルＢのダウンロードの開始要求をする。取得部８０１はコンテンツファイルＢを取得開始する。コンテンツ記憶部８０２に受け取ったデータを渡し、コンテンツ記憶部８０２は、コンテンツファイルＢのデータをクライアントコンピュータの記憶領域に記憶する。以降、取得部８０１はコンテンツファイルＢを取得しつづける。
【００９２】
＜ステップ１４０５＞
再生指示部８０５はコンテンツファイルＢに対して、パーソナルコンピュータのキーボードなどの入力装置から再生指示部を介して再生指示があったかどうかを判定する。再生指示情報があれば、ステップ１４０６へ処理が移る。再生指示情報がなければ、ステップ１４０４へ処理が移る（再生指示情報があるまで、ステップ１４０４の処理を続ける）。
【００９３】
＜ステップ１４０６＞
ダウンロード途中再生可否判定部８０６はコンテンツ解析部８０３にて抽出されたｂａｎｄ  ｗｉｄｔｈの属性情報受け取った後、伝送帯域状態取得部１３０１から伝送帯域状態を取得する。
【００９４】
＜ステップ１４０７＞
コンテンツメタファイルに記述されているｂａｎｄ  ｗｉｄｔｈとクライアントサーバ間の伝送帯域状態を比較する。本実施の形態の場合は、５６０００ｂｐｓより伝送帯域が大きい場合はステップ１４１０へ処理が移る。
【００９５】
５６０００ｂｐｓより伝送帯域が小さい、あるいは等しい場合はステップ１４０８へ処理が移る。
【００９６】
＜ステップ１４０８＞
図１０を参照。実施の形態１と同様の処理のため省略する。
【００９７】
＜ステップ１４０９＞
再生部８０８はコンテンツファイルＢを再生し、コンテンツデータを表示部８０７に送る。表示部８０７はコンテンツファイルＢの内容をパーソナルコンピュータのモニタに表示する。
【００９８】
＜ステップ１４１０＞
ダウンロード途中再生可否判定部８０６により、コンテンツメタファイルＢのｄｏｗｎｌｏａｄ  タグの属性情報と伝送帯域を比較し、５６０００ｂｐｓより大きいためダウンロード途中の再生が可能と判断される。再生部８０８はコンテンツ記憶部８０２に記憶されているコンテンツファイルＢを再生し、表示部８０７はコンテンツファイルＢの内容をパーソナルコンピュータのモニタに表示する。
【００９９】
以上、本実施の形態により、配信するコンテンツファイルＢに対するダウンロード途中再生禁止条件が記述されたコンテンツメタファイルＢをパーソナルコンピュータがダウンロードすることで、コンテンツの品質が損なわれるような伝送帯域で、コンテンツが再生されようとした場合において、コンテンツ作成者の意図どおりに再生を禁止できる。
【０１００】
なお、本実施の形態以外に、ダウンロード途中再生禁止情報をコンテンツメタファイルに付加させる代わりに、配信側でコンテンツを作成する際にコンテンツファイル（ＴＳファイル）に追加してダウンロード途中の再生を禁止させることも可能である。例えば、ＴＳのヘッダーにダウンロード途中再生禁止情報を追加することも可能である。またＴＳのＰＭＴにダウンロード途中再生禁止情報を追加し、ダウンロード途中の再生を禁止させることも可能である。
【０１０１】
また、本実施の形態ではクライアントサーバ間の伝送速度をダウンロード途中再生禁止条件としてあげているが、これ以外にも、クライアント端末の処理速度に条件を設けることにより、ダウンロード途中の再生を禁止することも可能である。例えば端末のＣＰＵクロック数が記述されたコンテンツメタファイルを端末が受信したら端末の周辺機器を制御しているＢＩＯＳ（Ｂａｓｉｃ  Ｉｎｐｕｔ  Ｏｕｔｐｕｔ  Ｓｙｓｔｅｍ）で検出されたＣＰＵクロック数を抽出して比較し、コンテンツメタファイルに記述されたＣＰＵクロック数に満たない場合は、ダウンロード途中の再生を禁止することができる。
【０１０２】
また、これ以外にも、ダウンロード途中の再生禁止条件を、コンテンツ再生前に定められたコンテンツ再生処理時におけるビットレート値に応じて変化させるようにすることもできる。例えば、コンテンツ再生処理時のビットレートがあらかじめＸと設定されていた場合、コンテンツ作成用コンピュータのダウンロード途中再生禁止情報作成部はｘの定数倍をコンテンツメタファイルのｂａｎｄ要素のｗｉｄｔｈ要素に設定し、その値以下で通信が行われる場合は、ダウンロード途中再生を禁止させることも可能である。
【０１０３】
また、ダウンロード途中再生禁止条件として、コンテンツの特定の部分に対してダウンロード途中の再生を禁止させるようにすることもできる。例えば、ＴＳファイルにおいて特定のｄａｔａ＿ｅｖｅｎｔ＿ｉｄが記述されたコンテンツメタファイルを端末が受信した場合、コンテンツが再生され、当該ｄａｔａ＿ｅｖｅｎｔ＿ｉｄのデータイベントが開始されると、注意文をモニタに表示し、ｄａｔａ＿ｅｖｅｎｔ＿ｉｄが更新されるまでのデータを取得するまでの間は、ダウンロード途中の再生を禁止するようにすることも可能である。
【産業上の利用可能性】
【０１０４】
本発明にかかるコンテンツ配信システムは、コンテンツのダウンロード途中の再生を禁止する機能を有し、帯域に補償がないコンテンツ配信システム等に有用である。また、本発明はデジタル衛星放送、地上デジタル放送等にも応用できる。
【図面の簡単な説明】
【０１０５】
【図１】本発明の実施の形態１におけるコンテンツ配信システムの概略図
【図２】本発明の実施の形態１におけるコンテンツ配信システムのコンテンツ配信側のシステム構成図
【図３】本発明の実施の形態１におけるコンテンツ配信システムのコンテンツ配信側にて作成されるコンテンツファイルにＴＳが記述されているイメージ図
【図４】本発明の実施の形態１におけるコンテンツ配信システムのコンテンツ作成用コンピュータが作成したコンテンツメタファイルの内容を示す図
【図５】本発明の実施の形態１におけるコンテンツ配信システムのコンテンツ作成用コンピュータが作成したコンテンツ一覧ファイルの内容を示す図
【図６】本発明の実施の形態１におけるコンテンツ配信システムのコンテンツ作成用コンピュータが作成したコンテンツ一覧ファイルの内容を示す図
【図７】本発明の実施の形態１におけるコンテンツ配信システムのコンテンツ配信側の処理の流れを示す図
【図８】本発明の実施の形態１におけるコンテンツ配信システムのコンテンツ取得側のシステム構成図
【図９】本発明の実施の形態１におけるコンテンツ配信システムのコンテンツ取得側の処理の流れを示す図
【図１０】本発明の実施の形態１におけるコンテンツ配信システムのコンテンツ取得側の処理の流れの中での、ダウンロード状態判定部における処理の流れを示す図
【図１１】本発明の実施の形態１におけるコンテンツ配信システムにおいて、ダウンロード途中再生禁止のコンテンツをダウンロード途中に再生しようとした場合において、ユーザのパーソナルコンピュータのモニタに表示されるパネルを示す図
【図１２】本発明の実施の形態２におけるコンテンツ配信システムのダウンロード途中再生を禁止するための伝送帯域の条件を記述したコンテンツメタファイルの内容を示す図
【図１３】本発明の実施の形態２におけるコンテンツ配信システムのコンテンツ取得側の構成図
【図１４】本発明の実施の形態２におけるコンテンツ配信システムのコンテンツ取得側の処理の流れを示す図
【図１５】本発明の実施の形態の概略を説明する図
【符号の説明】
【０１０６】
１０１    パーソナルコンピュータ
１０２    コンテンツ作成用コンピュータ
１０３    Ｗｅｂサーバ
１０４    コンテンツ配信事業者
１０５    インターネット網
１０６    コンテンツ配信側の構成
１０７    コンテンツ取得側の構成
１０８    ＷｅｂサーバのネットワークＩＦ
１０９    Ｗｅｂサーバの記憶領域
１１０    コンテンツ作成コンピュータのネットワークＩＦ
１１１    コンテンツ作成用コンピュータの記憶領域
１１２    コンテンツ作成用コンピュータの入力デバイス（キーボード）
１１３    パーソナルコンピュータのネットワークＩＦ
１１４    ＴＳデコーダ
１１５    ＡＶデコーダ
１１６    パーソナルコンピュータの記憶領域
１１７    モニタなどの表示装置
２０１    コンテンツ作成部
２０２    ダウンロード途中再生禁止情報作成部
２０３    コンテンツ一覧作成部
２０４    コンテンツ記憶部
２０５    コンテンツ作成用コンピュータ通信ＩＦ部（ソフトウェアモジュール）
２０６    Ｗｅｂサーバのコンピュータ通信ＩＦ部（ソフトウェアモジュール）
３０１    コンテンツファイル（ＴＳ）
３０２    コンテンツメタファイル（テキスト形式）
３０３    コンテンツ一覧ファイル（テキスト形式）
８０１    取得部
８０２    コンテンツ記憶部
８０３    コンテンツ解析部
８０４    ダウンロード状態判定部
８０５    再生指示部
８０６    ダウンロード途中再生可否判定部
８０７    表示部
８０８    再生部
１３０１    伝送帯域状態取得部
【図１】
2005197853.tif 000003
【図２】
2005197853.tif 000004
【図３】
2005197853.tif 000005
【図４】
2005197853.tif 000006
【図５】
2005197853.tif 000007
【図６】
2005197853.tif 000008
【図７】
2005197853.tif 000009
【図８】
2005197853.tif 000010
【図９】
2005197853.tif 000011
【図１０】
2005197853.tif 000012
【図１１】
2005197853.tif 000013
【図１２】
2005197853.tif 000014
【図１３】
2005197853.tif 000015
【図１４】
2005197853.tif 000016
【図１５】
2005197853.tif 000017